(57)【要約】【課題】相続手続き業務を適切に支援する技術を提供する。【解決手段】情報処理装置１０は、被相続人の家系図を、法定相続人が識別可能な状態で表示する表示処理部１１０と、被相続人の家系図を変更するユーザ操作または当該家系図に含まれる縁者の属性情報を変更するユーザ操作を受け付ける操作受付部１２０と、受け付けられたユーザ操作に応じて、家系図における法定相続人の表示を変更する表示変更部１３０と、を有する。【選択図】図１８
2016115022.tif 000002
【特許請求の範囲】
【請求項１】
被相続人の家系図を、法定相続人が識別可能な状態で表示する表示処理手段と、
前記被相続人の家系図を変更するユーザ操作または当該家系図に含まれる縁者の属性情報を変更するユーザ操作を受け付ける操作受付手段と、
前記受け付けられたユーザ操作に応じて、前記家系図における法定相続人の表示を変更する表示変更手段と、
を有する情報処理装置。
【請求項２】
前記表示変更手段は、
前記受け付けられたユーザ操作から、前記家系図において選択されたノードを特定する選択情報及び操作属性情報を取得し、
前記取得された選択情報に対応する人物の前記被相続人との関係種別と、前記取得された操作属性情報とに基づいて、前記家系図に新たに追加される縁者の前記被相続人との関係種別を特定する、
請求項１に記載の情報処理装置。
【請求項３】
前記表示変更手段は、
前記操作属性情報として、前記ユーザ操作の方向を示す方向情報を取得し、
前記取得された選択情報に対応する人物の前記被相続人との関係種別と、前記取得された方向情報との組み合わせに基づいて、前記家系図に新たに追加される縁者の前記被相続人との関係種別を特定する、
請求項２に記載の情報処理装置。
【請求項４】
相続手続き用の各種書類を前記被相続人との関係種別に対応付けて記憶する記憶手段を前記特定された法定相続人の被相続人との関係種別を用いて参照し、前記各種書類の中から相続手続きにおける必要書類を特定する必要書類特定手段と、
前記特定された必要書類を、前記被相続人との関係種別毎に列挙して表示する必要書類表示手段と、
を更に有する請求項１から３のいずれか１項に記載の情報処理装置。
【請求項５】
前記必要書類特定手段により特定される必要書類には、その中から少なくとも１つの必要書類が提出されればよい１以上の選択候補書類グループが含まれ、
前記必要書類表示手段は、
前記特定された必要書類毎に対応するボタンを表示し、
前記ボタンの表示において、前記選択候補書類グループとそれ以外の必要書類とを区別可能に表示する、
請求項４に記載の情報処理装置。
【請求項６】
前記必要書類表示手段は、
前記必要書類特定手段により特定される必要書類に複数の前記選択候補書類グループが含まれる場合、前記ボタンの表示において、前記複数の選択候補書類グループの各々を区別可能に表示する、
請求項５に記載の情報処理装置。
【請求項７】
前記必要書類特定手段により特定される必要書類には、その中から少なくとも１つの必要書類が提出されればよい１以上の選択候補書類グループが含まれ、
前記特定された必要書類のうち、前記選択候補書類グループとそれ以外の必要書類とを区別可能にリスト化した帳票データを生成する帳票生成手段と、
前記帳票データを外部装置へ出力する帳票出力手段と、
を更に有する請求項４から６のいずれか１項に記載の情報処理装置。
【請求項８】
前記帳票生成手段は、
前記必要書類特定手段により特定される必要書類に複数の前記選択候補書類グループが含まれる場合、前記複数の選択候補書類グループの各々を区別可能にリスト化した帳票データを生成する、
請求項７に記載の情報処理装置。
【請求項９】
前記帳票生成手段は、
前記必要書類を前記被相続人との関係種別毎に区別してリスト化した帳票データを生成する、
請求項７または８に記載の情報処理装置。
【請求項１０】
コンピュータが、
被相続人の家系図を、法定相続人が識別可能な状態で表示し、
前記被相続人の家系図を変更するユーザ操作または当該家系図に含まれる縁者の属性情報を変更するユーザ操作を受け付け、
前記受け付けられたユーザ操作に応じて、前記家系図における法定相続人の表示を変更する、
ことを含む情報処理方法。
【請求項１１】
コンピュータを、
被相続人の家系図を、法定相続人が識別可能な状態で表示する表示処理手段、
前記被相続人の家系図を変更するユーザ操作または当該家系図に含まれる縁者の属性情報を変更するユーザ操作を受け付ける操作受付手段、
前記受け付けられたユーザ操作に応じて、前記家系図における法定相続人の表示を変更する表示変更手段、
として機能させるためのプログラム。
【発明の詳細な説明】
【技術分野】
【０００１】
本発明は情報処理装置、情報処理方法、およびプログラムに関する。
【背景技術】
【０００２】
金融機関では、被相続人の口座の相続手続き等を業務として行うことがある。
【０００３】
上述した業務に関連する技術の一例が下記特許文献１および下記特許文献２に開示されている。特許文献１には、予め登録された相続人情報から法定相続人を特定し、当該法定相続人を確認するための問診表を出力することが開示されている。また、特許文献２には、遺産相続対象者画面で入力された情報に基づいて、相続対象者の系図を自動的に生成する技術が開示されている。
【先行技術文献】
【特許文献】
【０００４】
【特許文献１】特開２００５−２２８０５１号公報
【特許文献２】特開２００９−１８１４１０号公報
【発明の概要】
【発明が解決しようとする課題】
【０００５】
特許文献１では、相続人情報に変更がある場合、当該変更が登録されている相続人情報に反映されるまで、問診表の内容の正否を人（例えば、相続手続き業務に従事する金融機関の担当者）が判断することになる。しかしながら、相続に関する専門的な知識（法律知識や財務知識等）を持たない人物の場合、問診表の内容の成否を適切に判断するのは難しい。また、特許文献２では、法定相続人が誰であるかについて、入力者が予め知っていることを前提としているため、相続に関する専門的な知識を持たない人物が特許文献２に開示されているシステムを操作するのは難しい。
【０００６】
本発明は、相続手続き業務を適切に支援する技術を提供する。
【課題を解決するための手段】
【０００７】
本発明によれば、
被相続人の家系図を、法定相続人が識別可能な状態で表示する表示処理手段と、
前記被相続人の家系図を変更するユーザ操作または当該家系図に含まれる縁者の属性情報を変更するユーザ操作を受け付ける操作受付手段と、
前記受け付けられたユーザ操作に応じて、前記家系図における法定相続人の表示を変更する表示変更手段と、
を有する情報処理装置が提供される。
【０００８】
本発明によれば、
コンピュータが、
被相続人の家系図を、法定相続人が識別可能な状態で表示し、
前記被相続人の家系図を変更するユーザ操作または当該家系図に含まれる縁者の属性情報を変更するユーザ操作を受け付け、
前記受け付けられたユーザ操作に応じて、前記家系図における法定相続人の表示を変更する、
ことを含む情報処理方法が提供される。
【０００９】
本発明によれば、
コンピュータを、
被相続人の家系図を、法定相続人が識別可能な状態で表示する表示処理手段、
前記被相続人の家系図を変更するユーザ操作または当該家系図に含まれる縁者の属性情報を変更するユーザ操作を受け付ける操作受付手段、
前記受け付けられたユーザ操作に応じて、前記家系図における法定相続人の表示を変更する表示変更手段、
として機能させるためのプログラムが提供される。
【発明の効果】
【００１０】
本発明によれば、相続手続き業務を適切に支援することができる。
【図面の簡単な説明】
【００１１】
【図１】第１実施形態における情報処理装置の処理構成を概念的に示すブロック図である。
【図２】家系図の描画データの一例を示す図である。
【図３】表示処理部によって表示される被相続人の家系図を含む画面の一例を示す図である。
【図４】縁者の属性情報を設定または変更する画面の一例を示す図である。
【図５】被相続人との関係種別及び方向情報の組み合わせと、家系図に新たに追加される縁者の被相続人との関係種別との対応関係を示す情報の一例を示す図である。
【図６】新たな縁者の追加処理の具体例を示す図である。
【図７】図６に示されるユーザ操作を行った結果を示す図である。
【図８】縁者の属性情報の設定または変更処理の具体例を示す図である。
【図９】必要書類に対応するボタンを被相続人との関係種別毎に表示する画面の一例を示す図である。
【図１０】第１実施形態の情報処理装置により出力される帳票の一例を示す図である。
【図１１】第１実施形態の情報処理装置のハードウエア構成を概念的に示す図である。
【図１２】第１実施形態の情報処理装置で実行される初期表示処理を説明するためのフローチャート図である。
【図１３】第１実施形態の情報処理装置で実行されるユーザ操作受付処理を説明するためのフローチャート図である。
【図１４】第１実施形態の情報処理装置で実行される表示変更処理を説明するためのフローチャート図である。
【図１５】第１実施形態の情報処理装置で実行される表示変更処理を説明するためのフローチャート図である。
【図１６】財産登録処理において表示される画面の一例を示す図である。
【図１７】財産シミュレーション処理において表示される画面の一例を示す図である。
【図１８】第２実施形態における情報処理装置の処理構成を概念的に示すブロック図である。
【図１９】第２実施形態における情報処理装置の処理の流れを示すフローチャートである。
【発明を実施するための形態】
【００１２】
以下、本発明の実施形態について、図面を用いて説明する。尚、すべての図面において、同様な構成要素には同様の符号を付し、適宜説明を省略する。
【００１３】
［第１実施形態］
〔処理構成〕
図１は、第１実施形態における情報処理装置１０の処理構成を概念的に示すブロック図である。図１に示されるように、本実施形態の情報処理装置１０は、表示処理部１１０、操作受付部１２０、表示変更部１３０、必要書類特定部１４０、必要書類表示部１５０、帳票生成部１６０、及び帳票出力部１７０を有する。
【００１４】
表示処理部１１０は、例えば以下で説明するように、被相続人の家系図を法定相続人が識別可能な状態で表示する。
【００１５】
表示処理部１１０は、例えば情報処理装置１０の表示部（図示せず）などに、被相続人の家系図を初期入力に応じて表示する。
【００１６】
初期入力は、例えば、図示しない入力用画面を介して受け付けた、被相続人の縁者に関連する質問（例えば「配偶者は、いらっしゃいますか？」や「お子様は、いらっしゃいますか？」等）に対する回答入力である。この場合、表示処理部１１０は、当該回答入力を基に被相続人の家系図の構成を判断し、家系図の描画データを生成および表示する。例えば、上記で例示した質問「配偶者は、いらっしゃいますか？」について「いる」旨を示す回答入力が得られた場合、表示処理部１１０は、配偶者がいる場合の家系図の描画データを生成する。一方で、上記で例示した質問「配偶者は、いらっしゃいますか？」について「いない」旨を示す回答入力が得られた場合、表示処理部１１０は、配偶者がいない場合の家系図の描画データを生成する。
【００１７】
また、初期入力は、例えばデフォルトの家系図として情報処理装置１０の図示しない記憶部に予め記憶された描画データであってもよい。この場合、表示処理部１１０は、当該デフォルトの描画データを読み出し、デフォルトの描画データに基づく家系図を情報処理装置１０の表示部に表示する。但し、初期入力は上述した例に制限されない。
【００１８】
表示部に表示される家系図を描画するために利用される描画データは、例えば図２に示されるようなテーブル形式で情報処理装置１０の図示しない記憶部に保持される。図２は、家系図の描画データの一例を示す図である。図２の例では、情報処理装置１０は、家系図に含まれる各人物に対応するノードを一意に識別するノードＩＤと共に、当該人物と被相続人との関係種別および法定相続人であるか否かを区別する法定相続人フラグを記憶部に記憶している。また、詳細は後述するが、情報処理装置１０は、縁者が法定相続人であるか否かを決定する要因の一部を構成し得る情報である属性情報を、各ノードＩＤに対応付けて記憶部に記憶している。
【００１９】
表示処理部１１０は、図２に示されるようなテーブルを参照して、表示部に表示するための家系図を構成する。家系図を構成する際、表示処理部１１０は、テーブルに記憶されている「被相続人との関係種別」を用いて、どのような縁者を家系図のどの位置に配置するかを特定できる。以下で、図２の例を用いた具体的な家系図の構成処理について説明する。
【００２０】
表示処理部１１０は、図２の「ＩＤ００１」の「被相続人との関係種別」（「本人（被相続人）」）に基づいて、「被相続人」を示すノードを画面の表示領域上に配置する。さらに、表示処理部１１０は、図２の「ＩＤ００２」および「ＩＤ００３」の「被相続人との関係種別」（それぞれ「父」および「母」）に基づいて、「被相続人」を示すノードの上側の表示領域に「父」を示すノードと「母」を示すノードとを同列に配置する。ここで、表示処理部１１０は、「被相続人」を示すノードが横方向において「父」を示すノードと「母」を示すノードとの間に位置するように、「父」を示すノードと「母」を示すノードとを配置する。そして、表示処理部１１０は、「父」を示すノードと「母」を示すノードとを線で繋ぎ、「父」を示すノードと「母」を示すノードとを繋ぐ線の途中から「被相続人」を示すノードに繋がる線を下方向に引く。さらに、表示処理部１１０は、図２の「ＩＤ００４」の「被相続人との関係種別」（「配偶者」）に基づいて、「配偶者」を示すノードを「被相続人」を示すノードと同列に配置する。そして、表示処理部１１０は「被相続人」を示すノードと「配偶者」を示すノードとを線で繋ぐ。さらに、表示処理部１１０は、図２の「ＩＤ００５」の「被相続人との関係種別」（「子」）に基づいて、「被相続人」を示すノードの下側の表示領域に「子」を示すノードを配置する。表示処理部１１０は、横方向において「被相続人」を示すノードと「配偶者」を示すノードとの間に位置するように「子」を示すノードを配置する。そして、表示処理部１１０は、「被相続人」を示すノードと「配偶者」を示すノードとを繋ぐ線の途中から「子」を示すノードに繋がる線を下方向に引く。さらに、表示処理部１１０は、図２の「ＩＤ００６」の「被相続人との関係種別」（「兄弟姉妹」）に基づいて、「兄弟姉妹」を示すノードを「被相続人」を示すノードと同列に配置する。そして、表示処理部１１０は、「父」を示すノードと「母」を示すノードとを繋ぐ線の途中から下方向に分岐する線に接続する線を引く。但し、表示処理部１１０による家系図の構成処理の流れはこの例に制限されない。
【００２１】
さらに、表示処理部１１０は、図２に示されるテーブルの「法定相続人フラグ」の有無によって、家系図に含まれる各縁者が法定相続人か否かを特定する。例えば、図２の例では、表示処理部１１０は、「法定相続人フラグ」が設定されている「配偶者」および「子」を法定相続人として特定する。また、表示処理部１１０は、「法定相続人フラグ」が設定されていない「父」、「母」、及び「兄弟姉妹」を法定相続人ではない縁者として特定する。そして、表示処理部１１０は、家系図において、被相続人、法定相続人、および法定相続人ではない縁者を、それぞれ互いに異なる態様で表示する。表示処理部１１０は、例えば、色、塗りつぶしパターン、表示サイズ、表示形状などをそれぞれ互いに異ならせる。但し、法定相続人を区別可能に表示する方法はこれらの例に制限されない。例えば、表示処理部１１０は、法定相続人であることを示す特定のマークや文字などを、該当する縁者の表示（ノード）に付与するように構成されていてもよい。
【００２２】
ここで、表示処理部１１０は、家系図に含まれる各縁者の法定相続人フラグを、例えば法定相続人に関する法律規定（例えば日本の民法第５編の規定）に基づいて作成された、法定相続人特定用のプログラムを用いて設定する。当該プログラムは、例えば、情報処理装置１０の図示しない記憶部に記憶されている。なお、現行法が改正された場合には、新たな法律に合わせて改修されたプログラムをインターネットや可搬記憶媒体などを介して情報処理装置１０にインストールすることにより、情報処理装置１０における法定相続人の特定処理を新たな法律に対応させることが可能となる。
【００２３】
図３を用いて、表示処理部１１０によって情報処理装置１０の表示部に表示される画面の具体例を説明する。図３は、表示処理部１１０によって表示される被相続人の家系図を含む画面の一例を示す図である。図３では、被相続人の縁者が「父」、「母」、「配偶者」、一人の「子供」、一人の「兄弟姉妹」で構成される家系図が表示領域２１に表示される例が示されている。
【００２４】
図３の例において、被相続人は背景色が黒色の状態で表示されている。また、図３の例において、法定相続人である縁者は背景色が白色の状態で表示され、法定相続人ではない縁者は背景色が灰色の状態で表示されている。これにより、「配偶者」および「子供」が法定相続人であり、「父」、「母」、「兄弟姉妹」は法定相続人ではないことが一目で把握できる。
【００２５】
法定相続人である縁者は、相続に関する法律規定（例えば、民法第５編）に基づいて作成された法定相続人特定用のプログラム等を実行することにより特定される。図３の例では、上述のプログラムにより、常に法定相続人となる「配偶者」（民法第８９０条）および第１順位である「子」（民法第８８７条）が法定相続人である縁者として特定される。また第１順位の「子」が存在するため、上述のプログラムにより、第２順位である「父」、「母」（民法第８８９条第１項第１号）並びに第３順位である「兄弟姉妹」（民法第８８９条第１項第２号）は法定相続人ではない縁者として特定される。なお、ここでは説明の便宜上、各縁者の生死や相続権の放棄等は考慮していない。各縁者の生死や相続権の放棄といった情報は、後述のユーザ操作により属性情報として各縁者に設定される。そして、後述のユーザ操作の実行に応じて上述のプログラムが実行され、各縁者に設定された属性情報も含めて法定相続人が都度特定される。
【００２６】
操作受付部１２０は、被相続人の家系図を変更するユーザ操作または当該家系図に含まれる縁者の属性情報を変更するユーザ操作を受け付ける。ここでいう"ユーザ"は、例えば、相続関連の相談を受ける側である金融機関等の従業員や、相続関連の相談を持ちかける側である被相続人または被相続人の縁者などである。操作受付部１２０は、例えばタッチパネル操作、音声入力操作、マウスやキーボードを介した入力操作などを受け付ける。また、操作受付部１２０は、図３の表示領域２１の上部に示されるような「配偶者追加」、「子供追加」、「削除」といったボタンの押下を、ユーザ操作として受け付けるように構成されていてもよい。操作受付部１２０で受け付けたユーザ操作に応じて、後述の表示変更部１３０によって画面の表示が更新される。
【００２７】
本発明において"家系図を変更する"とは、被相続人の家系図の構成を変更することを意味する。具体的な例としては、家系図への新たな縁者の追加や既に家系図に既に存在する縁者の削除などが挙げられる。より具体的には、図２で示されるテーブルに新た縁者のレコードを追加すること、あるいは、図２で示されるテーブルに既に存在する縁者のレコードを削除すること等である。新た縁者のレコードの追加処理および既に存在する縁者のレコードの削除処理は、後述の表示変更部１３０によって実行される。
【００２８】
また、本発明において"縁者の属性情報"とは、縁者が法定相続人であるか否かを決定する要因の一部を構成し得る情報である。具体的な例としては、縁者の続柄、縁者が存命しているか否か、相続欠格または相続人廃除に該当するか否かなどが挙げられる。但し、縁者の属性情報はこれらの例に制限されない。
【００２９】
操作受付部１２０は、図３に示されるような、各人物の属性情報の表示領域２２上で、縁者の属性情報を設定または変更するユーザ操作を受け付ける。例えば、操作受付部１２０は、表示領域２２のチェックボックスやボタンなどを選択するユーザ操作を受け付ける。
【００３０】
また、操作受付部１２０は、図４に示すような画面から、縁者の属性情報を設定または変更するユーザ操作を受け付けるように構成されていてもよい。図４は、縁者の属性情報を設定または変更する画面の一例を示す図である。図４の画面は、例えば、家系図において対象とする人物を選択した後、図３の「その他」ボタン２４の押下に応じて表示される。図４の画面は、例えば情報処理装置１０の図示しない記憶部に記憶された、縁者の属性情報の一覧に基づいて生成される。また、一覧に含まれる各属性情報には当該属性情報を設定可能な縁者の被相続人との関係種別が紐付けられており、対象とする縁者に設定できない属性（図４の例では半血兄弟および特別縁故者）は、選択不可能な状態で表示される。図４の画面では、縁者の属性情報を変更するユーザ操作として、該当する属性に対応するチェックボックスにチェックを付け、「確定」ボタンを押下する操作が実行される。但し、縁者の属性情報を変更または設定するユーザ操作は、これらの図の例に制限されない。
【００３１】
表示変更部１３０は、操作受付部１２０により受け付けられたユーザ操作に応じて、家系図における法定相続人の表示を変更する。また、表示変更部１３０は、操作受付部１２０で家系図を変更するユーザ操作を受け付けた場合は、当該ユーザ操作に応じて構成が変更された家系図の描画データを生成して再表示する。以下において、家系図を変更するユーザ操作を受け付けた場合の処理と、縁者の属性情報を設定または変更するユーザ操作を受け付けた場合の処理の具体例について説明する。
【００３２】
＜家系図を変更するユーザ操作を受け付けた場合＞
表示変更部１３０は、操作受付部１２０で受け付けられたユーザ操作から、家系図において選択されたノードを特定する選択情報と、どのようなユーザ操作が行われたかを示す操作属性情報とを取得する。そして、表示変更部１３０は、取得された選択情報に対応する人物の被相続人との関係種別、及び、取得された操作属性情報に応じて、家系図に新たに追加される縁者の被相続人との関係種別を特定する。
【００３３】
ここで、表示変更部１３０は、操作属性情報として、例えばユーザ操作の方向（ある一続きのユーザ操作の起点から終点までの軌跡を示すベクトルの方向）を示す方向情報を取得する。そして、表示変更部１３０は、選択情報に対応する人物の被相続人との関係種別と方向情報との組み合わせに基づいて、家系図に新たに追加される縁者の被相続人との関係種別を特定する。
【００３４】
例えば、図５に示されるような情報が情報処理装置１０の図示しない記憶部に保持されており、表示変更部１３０は、当該記憶部に保持された情報を用いて、ユーザ操作に応じて家系図に新たに追加される縁者の被相続人との関係種別を特定する。図５は、被相続人との関係種別及び方向情報の組み合わせと、家系図に新たに追加される縁者の被相続人との関係種別との対応関係を示す情報の一例を示す図である。図５の例において、例えば１行目の情報は、選択情報に対応する人物の被相続人との関係種別が「本人（被相続人）」であり、ユーザ操作の方向情報が「右方向」である場合、新たに追加される縁者の被相続人との関係種別は「配偶者」になることを意味している。その他の行の情報についても同様に、選択情報に対応する人物の被相続人との関係種別と、ユーザ操作の方向情報との組み合わせ毎に、どのような関係種別の縁者が家系図に新たに追加されるかが定義されている。
【００３５】
図５の例では新たな縁者を追加することのみが定義されているが、これに限らず、選択情報に対応する人物の被相続人との関係種別と操作属性情報との組み合わせに基づいてどのような処理を実行するかは、適宜設定および変更することが可能である。例えば、表示変更部１３０は、あるノードが選択されている状態で、第１の方向を示す方向情報を取得した場合は新たな縁者を追加し、第１の方向とは異なる第２の方向を示す方向情報を取得した場合には、選択されたノードを削除するように構成されていてもよい。
【００３６】
また、表示変更部１３０が取得する操作属性情報は上述の例に制限されない。例えば、表示変更部１３０は、操作軌跡で描かれる図形の形状、所定時間内のクリック回数、あるいは所定時間内のタップ回数などを、操作属性情報として取得してもよい。この場合、図５に示される情報の代わりに、被相続人との関係種別と、操作軌跡で描かれる図形の形状、クリック回数、あるいはタップ回数との組み合わせに応じて、家系図に新たに追加される縁者の被相続人との関係種別を定義した情報が用いられる。
【００３７】
図６および図７を用いて、表示変更部１３０による新たな縁者の追加処理の流れを説明する。なお、以下の説明において、表示変更部１３０あるいは情報処理装置１０の図示しない記憶部には、図５で示すような情報を保持しているものとする。
【００３８】
図６は、新たな縁者の追加処理の具体例を示す図である。図６において、指の位置は選択された人物を示し、矢印の向きはユーザ操作の方向を示す。すなわち、図６の例において、表示変更部１３０は「被相続人（本人）」を選択情報として取得し、「下方向（画面を基準とした方向）」をユーザ操作の方向として取得する。よって、この場合、表示変更部１３０は、家系図に含まれる各人物の情報を記憶するテーブルに、被相続人との関係が「子」であるレコードを新たに追加する。そして、表示変更部１３０は、「子」のレコードが新たに追加されたテーブルを用いて家系図を再構成し、表示部（図示せず）に表示する。なお、表示変更部１３０は、上述したように被相続人との関係種別を用いて、「子」を示すノードの表示位置や家系図中の各人物との繋がりを示す線の引き方を判断する。
【００３９】
そして、ユーザ操作を行った結果として、図７に示されるような家系図が表示される。図７は、図６に示されるユーザ操作を行った結果を示す図である。表示変更部１３０は、ユーザ操作に応じて家系図の構成に変更が入った（すなわち、レコードの増減があった）場合、上述の法定相続人特定用プログラムを再度実行する。
【００４０】
ここで、図６では第１順位である子が存在しないため、上述の法定相続人特定用プログラムにより、第２順位である父および母は法定相続人として特定され、法定相続人フラグが設定される。そのため、「父」を示すノードおよび「母」を示すノードの背景色は法定相続人を示す色（例えば白色）で表示される。
【００４１】
一方、図７では新たな縁者として第１順位である子が追加されたため、上述の法定相続人特定用プログラムにより、第２順位である父および母は法定相続人ではない縁者として特定され、法定相続人フラグが解除される。法定相続人フラグの解除に伴い、表示変更部１３０は、「父」を示すノードおよび「母」を示すノードの背景色を法定相続人ではない縁者を示す色（例えば灰色）に変更する。また、父および母の法定相続人フラグが解除された代わりに、新たに追加された第１順位である子が法定相続人として特定され、法定相続人フラグが設定される。法定相続人フラグが設定されたことにより、表示変更部１３０は、法定相続人を示す色（例えば白色）で「子」を示すノードを表示する。
【００４２】
このように、家系図を変更するユーザ操作を受け付ける毎に、上述の法定相続人特定用のプログラムが実行され、家系図に含まれる縁者の中から法定相続人が都度特定されることになる。
【００４３】
＜縁者の属性情報を設定または変更するユーザ操作を受け付けた場合＞
図８を用いて、表示変更部１３０による縁者の属性情報の設定または変更処理の流れを説明する。図８は、縁者の属性情報の設定または変更処理の具体例を示す図である。
【００４４】
図８では、図３に示される家系図において「配偶者」が選択された状態で、選択された人物が死亡しているか否かをチェックの有無によって示すチェックボックス２３にチェックを付けるユーザ操作が行われた結果が示されている。この場合、表示変更部１３０は、例えば図２に示されるようなテーブルにおいて、「配偶者」のレコードの属性情報に「死亡」を示す属性を追加する。表示変更部１３０は、既存のレコードの属性情報が変更された場合、上述の法定相続人特定用プログラムを再度実行する。上述の法定相続人特定用プログラムが実行されると、「死亡」を示す属性情報が追加されたことにより「配偶者」は法定相続人ではない縁者として特定され、法定相続人フラグが解除される。法定相続人フラグの解除に伴い、表示変更部１３０は、図８に示されるように、「配偶者」を示すノードの背景色を法定相続人ではない縁者を示す色（例えば灰色）に変更する。また、図８の例では、表示変更部１３０は、輪郭線を点線に変更することにより、当該人物が死亡していることが分かるように表示している。
【００４５】
また、他の例として「配偶者」が選択された状態で図４の画面を表示し、「相続欠格／相続人廃除」のチェックボックスをチェックするユーザ操作を操作受付部１２０が受け付けた場合を考える。この場合、表示変更部１３０は、ユーザ操作から当該チェックボックスに対応する属性（相続欠格／相続人廃除）を取得し、「配偶者」のレコードの属性情報に追加する。そして、既存のレコードの属性情報が変更されたため、表示変更部１３０は上述の法定相続人特定用プログラムを再度実行する。上述の法定相続人特定用プログラムが実行されると、「相続欠格／相続人廃除」を示す属性情報が追加されたことにより「配偶者」は法定相続人ではない縁者として特定され、法定相続人フラグが解除される。法定相続人フラグの解除に伴い、表示変更部１３０は、「配偶者」を示すノードの背景色を、法定相続人ではない縁者を示す色（例えば灰色）に変更する。
【００４６】
このように、縁者の属性情報を設定または変更するユーザ操作を受け付ける毎に、上述の法定相続人特定用のプログラムが実行され、各縁者に付与された属性情報も含めて法定相続人が都度特定される。
【００４７】
必要書類特定部１４０は、相続手続き用の各種書類を被相続人との関係種別に対応付けて記憶する記憶手段を、表示処理部１１０の表示において特定された法定相続人の被相続人との関係種別を用いて参照し、各種書類の中から相続手続きにおける必要書類を特定する。
【００４８】
ここで、相続に関わる全て人物に共通する書類として提出を要求される書類もあれば、ある特定の人物にのみ提出を要求される書類もある。また、相続手続き用の各種書類の中には、複数種の書類の中から少なくとも１つが提出されればよい書類（以下、このような書類を選択候補書類グループと表記する）が含まれることもある。
【００４９】
記憶手段は、各書類について提出が必要となる人物を特定するために、各種書類を示す情報と共に当該書類の提出が必要となる人物の被相続人との関係種別（関係種別を問わず共通の書類か否かを示す情報も含む）を併せて記憶している。また、各書類が選択候補書類グループに属するか否かを判断するために、記憶手段は、複数の選択候補書類グループ毎に一意であるグループ識別情報を、各種書類を示す情報に紐付けて記している。必要書類特定部１４０は、表示されている家系図上の各人物の被相続人との関係種別をキーとして用いることにより、各人物が相続手続きで提出すべき書類および当該書類が選択候補書類グループに属するか否かを特定できる。
【００５０】
そして、必要書類表示部１５０は、必要書類特定部１４０によって特定された必要書類を被相続人との関係種別毎に列挙して表示する。具体的には、必要書類表示部１５０は、現在表示された家系図に含まれる各人物の被相続人との関係種別を用いて特定された各種必要書類に対応するボタンを、被相続人との関係種別毎に配置する。例えば、必要書類表示部１５０は、図２の「必要書類」ボタンの押下に応じて、図９に示されるような画面を表示する。図９は、必要書類に対応するボタンを被相続人との関係種別毎に表示する画面の一例を示す図である。図９の例において、必要書類表示部１５０は、共通の必要書類に対応する各ボタンを画面上に配置する。続けて、必要書類表示部１５０は、被相続人との関係種別毎（父、母、被相続人（本人）、配偶者、兄弟）に領域を変え、被相続人との関係種別毎に特定された必要書類に対応する各ボタンを画面上に配置する。また、これらのボタンが押下されると、必要書類表示部１５０は、例えば当該押下されたボタンに応じた書類の説明文や取得場所などを表示する。なお、必要書類の表示形式は、図９の例に制限されない。
【００５１】
必要書類表示部１５０は、必要書類特定部１４０で特定された必要書類の中に、１つ以上の選択候補書類グループが含まれる場合、特定された必要書類毎に対応するボタンの表示において、選択候補書類グループとそれ以外の必要書類とを区別可能に表示する。必要書類特定部１４０は、グループ識別情報を参照することにより、同一の選択候補書類グループに属する書類を判別できる。図９の例において、「遺言書」、「遺産分割協議書」、「遺産分割申立事件審判書謄本」は、各種書類の一覧を記憶する記憶手段において同一のグループ識別情報が設定された状態で記憶されているとする。この場合、必要書類特定部１４０は、グループ識別情報に基づいて「遺言書」、「遺産分割協議書」、「遺産分割申立事件審判書謄本」を同一の選択候補書類グループと判別する。そして、必要書類表示部１５０は、図９の例に示されるように、グループを識別する表示（例えば「▲」印）をつけることにより、判別された各必要書類が選択候補書類グループに含まれるか否かを区別可能に表示する。
【００５２】
また、必要書類特定部１４０で特定された必要書類の中に、複数の選択候補書類グループが含まれる場合、必要書類表示部１５０は、特定された必要書類毎に対応するボタンの表示において、複数の選択候補書類グループの各々を区別可能に表示する。必要書類特定部１４０は、２以上の異なるグループ識別情報が存在するか否かによって、複数の選択候補書類グループが含まれるか否かを判断できる。例えば、「遺言書」、「遺産分割協議書」、「遺産分割申立事件審判書謄本」のグループ識別情報とは異なるグループ識別情報を有する他の選択候補書類グループが必要書類特定部１４０によって特定されたとする。この場合、必要書類表示部１５０は、他の選択候補書類グループに対応するボタンには「▲」印とは異なる印（例えば「●」印など）を付けて表示する。
【００５３】
帳票生成部１６０は、必要書類特定部１４０により特定された必要書類の帳票データを生成する。ここで、必要書類特定部１４０により特定される必要書類に選択候補書類グループが含まれている場合、帳票生成部１６０は、当該選択候補書類グループとそれ以外の必要書類とを区別可能にリスト化した帳票データを生成する。また、帳票生成部１６０は、被相続人との関係種別毎に必要書類をリスト化した帳票データを生成する。また、帳票生成部１６０は、必要書類特定部１４０により特定される必要書類に複数の選択候補書類グループが含まれる場合、複数の選択候補書類グループの各々を区別可能にリスト化した帳票データを生成する。
【００５４】
帳票出力部１７０は、帳票生成部１６０により生成された帳票データを外部装置へ出力する。外部装置は、例えば、情報処理装置１０と通信可能に接続されたプリンタ等である。
【００５５】
帳票生成部１６０により生成され、帳票出力部１７０により出力される帳票の例を図１０に示す。図１０は、第１実施形態の情報処理装置１０により出力される帳票の一例を示す図である。図１０の帳票において、必要書類は、共通書類に続けて、被相続人との関係種別毎（被相続人（本人）、配偶者、子）に列挙されている。また、図１０の帳票において、選択候補書類グループは枠線で囲われており、他の必要書類と区別可能に記載されている。また、図１０の帳票において、各々の選択候補書類グループは異なる枠線で別々に囲われており、各々の選択候補書類グループが区別可能に記載されている。
【００５６】
〔ハードウエア構成〕
図１１は、第１実施形態の情報処理装置１０のハードウエア構成を概念的に示す図である。図１１に示されるように、情報処理装置１０は、ＣＰＵ（Central Processing Unit）１０１、メモリ１０２、ストレージ１０３、入出力インタフェース１０４等を有する。バス１０５は、ＣＰＵ１０１、メモリ１０２、ストレージ１０３、および入出力インタフェース１０４の間で、相互にデータを送受信するためのデータ伝送路である。但し、ＣＰＵ１０１などを互いに接続する方法は、バス接続に限定されない。ＣＰＵ１０１は、例えばＣＰＵやＧＰＵ（Graphics Processing Unit）などの演算処理装置である。メモリ１０２は、例えばＲＡＭ（Random Access Memory）やＲＯＭ（Read Only Memory）などのメモリである。ストレージ１０３は、例えばハードディスク、ＳＳＤ（Solid State Drive）、又はメモリカードなどの記憶装置である。また、ストレージ１０３は、ＲＡＭやＲＯＭ等のメモリであってもよい。
【００５７】
入出力インタフェース１０４は、情報処理装置１０と例えばプリンタといった外部装置との間でデータを送受信するために用いられる。なお、入出力インタフェース１０４を介して情報処理装置１０と外部装置とを接続する方法は様々である。例えばこの接続は、バス回線（例えばＵＳＢ（Universal Serial Bus）回線）を介したバス接続や、ネットワーク回線を介したネットワーク接続などである。入出力インタフェース１０４は、有線または無線により、外部装置と通信する。また、入出力インタフェース１０４を介して、表示装置、入力装置などがさらに接続されてもよい。表示装置は、ＬＣＤ（Liquid Crystal Display）やＣＲＴ（Cathode Ray Tube）ディスプレイのような、ＣＰＵ１０１やＧＰＵ（図示せず）等により処理された描画データに対応する画面を表示する装置である。入力装置は、例えばキーボードやマウスといったユーザの操作による入力を受け付ける装置である。入力装置は、情報処理装置１０の表示部と一体化されてタッチパネルとして構成されていてもよい。
【００５８】
ストレージ１０３は、情報処理装置１０の機能を実現するためのプログラムを記憶している。具体的には、表示処理部１１０、操作受付部１２０、表示変更部１３０、必要書類特定部１４０、および必要書類表示部１５０等の機能をそれぞれ実現するプログラムモジュールを記憶している。ＣＰＵ１０１は、これら各プログラムモジュールを実行することで、表示処理部１１０、操作受付部１２０、表示変更部１３０、必要書類特定部１４０、必要書類表示部１５０、帳票生成部１６０および帳票出力部１７０の機能をそれぞれ実現する。ここでＣＰＵ１０１は、上記各モジュールを実行する際、これらのモジュールをメモリ１０２上に読み出してから実行してもよいし、メモリ１０２上に読み出さずに実行してもよい。なお、情報処理装置１０のハードウエア構成は図１１に示した構成に限定されない。
【００５９】
〔動作例〕
図１２から図１７を用いて、本実施形態における情報処理装置１０の動作例を説明する。
【００６０】
＜初期表示処理について＞
まず、初期表示処理について図１２を用いて説明する。図１２は、第１実施形態の情報処理装置１０で実行される初期表示処理を説明するためのフローチャート図である。
【００６１】
表示処理部１１０は、初期入力に応じて家系図の構成を決定する（Ｓ１０１）。次いで、表示処理部１１０は、法定相続人を特定するプログラムを用いて、家系図の構成に含まれる縁者の中から法定相続人を特定する（Ｓ１０２）。そして、表示処理部１１０は、Ｓ１０２で特定された法定相続人を区別可能な状態の家系図の描画データを生成し、情報処理装置１０の表示部に表示する（Ｓ１０３）。結果として、図３に示されるような家系図が表示される。そして、処理はユーザの操作を受け付けるユーザ操作受付処理へ遷移する。
【００６２】
＜ユーザ操作受付処理について＞
次に、ユーザ操作受付処理について図１３を用いて説明する。図１３は、第１実施形態の情報処理装置１０で実行されるユーザ操作受付処理を説明するためのフローチャート図である。
【００６３】
操作受付部１２０は、ユーザによる操作入力を監視している（Ｓ２０１）。操作受付部１２０は、ユーザによる操作入力を検知した場合、当該操作入力がどのような操作であるかを判定する（Ｓ２０２）。Ｓ２０２の判定結果が「家系図の変更」または「属性情報の変更」に関するユーザ操作である場合、処理は表示変更処理に遷移する。具体的には、操作受付部１２０が図３の表示領域２１、２２に対する操作を検知した場合、処理は表示変更処理に遷移する。
【００６４】
また、Ｓ２０２の判定結果が、必要書類の表示処理を実行する旨のユーザ操作である場合、処理は必要書類表示処理に遷移する。具体的には、図３の「必要書類」ボタンが押下された場合、処理は必要書類表示処理に遷移する。
【００６５】
また、Ｓ２０２の判定結果が、相続する財産の情報を登録する処理を実行する旨のユーザ操作である場合、処理は財産登録処理に遷移する。具体的には図３の「財産登録」ボタンが押下された場合、処理は財産登録処理に遷移する。
【００６６】
また、Ｓ２０２の判定結果が、相続のシミュレーション結果を表示する処理を実行する旨のユーザ操作である場合、処理は相続シミュレーション処理に遷移する。具体的には図３の「相続シミュレーション」ボタンが押下された場合、処理は相続シミュレーション処理に遷移する。
【００６７】
＜表示変更処理について＞
表示変更処理について図１４を用いて説明する。図１４は、第１実施形態の情報処理装置１０で実行される表示変更処理を説明するためのフローチャート図である。
【００６８】
まず、表示変更部１３０は、操作受付部１２０が受け付けたユーザ操作が「家系図を変更する操作」および「属性情報を変更する操作」のどちらであるかを判断する（Ｓ３０１）。表示変更部１３０は、例えば、図３の表示領域２１で行われた操作を「家系図を変更する操作」として認識し、図３の表示領域２２で行われた操作を「属性情報を変更する操作」と認識することができる。但し、表示変更部１３０が「家系図を変更する操作」および「属性情報を変更する操作」を識別する方法はこれに限定されない。
【００６９】
ユーザ操作が「家系図を変更する操作」である場合（Ｓ３０１：家系図の変更操作）、表示変更部１３０は、操作受付部１２０が受け付けたユーザ操作から、選択されたノード（人物）を示す選択情報と、どのような操作が行われたかを示す操作属性情報を取得する（Ｓ３０２）。ここでは、表示変更部１３０は、ユーザ操作の方向を示す方向情報を操作属性情報として取得するものとする。そして、表示変更部１３０は、選択情報と方向情報との組み合わせに応じて定義された、家系図の変更処理を実行する（Ｓ３０３）。家系図の変更処理は、＜家系図を変更するユーザ操作を受け付けた場合＞において説明したとおりである。
【００７０】
一方、ユーザ操作が「属性情報を変更する操作」である場合（Ｓ３０１：属性情報の変更操作）、表示変更部１３０は、選択されたノード（人物）を示す選択情報と、どのような操作が行われたかを示す操作属性情報を取得する（Ｓ３０４）。ここでは、表示変更部１３０は、縁者の属性情報を設定する操作および縁者の属性情報を解除する操作の何れが実行されたかを示す設定／解除情報を操作属性情報として取得する。例えば、図４に示されるような画面において、あるチェックボックスにチェックを入れて確定ボタンが押下するユーザ操作が実行された場合は、チェックボックスに対応する属性情報を設定する操作を示す設定情報が当該ユーザ操作から取得される。また、図４に示されるような画面において、チェックボックスに既に有効となっているチェックを外して確定ボタンが押下するユーザ操作が実行された場合は、チェックボックスに対応する属性情報を解除する操作を示す解除情報が当該ユーザ操作から取得される。そして、表示変更部１３０は、選択情報が示すノードに対応する縁者の属性情報を、設定情報あるいは解除情報に応じて変更する（Ｓ３０５）。縁者の属性情報の変更処理については、＜縁者の属性情報を設定または変更するユーザ操作を受け付けた場合＞において説明したとおりである。
【００７１】
そして、表示変更部１３０は、家系図の変更および属性情報の変更に応じて、法定相続人を再度特定し（Ｓ３０６）、画面を再表示する（Ｓ３０７）。具体的には、図６、７を、８用いて説明したように、画面が再表示される。
【００７２】
＜必要書類表示処理＞
必要書類処理について図１５を用いて説明する。図１５は、第１実施形態の情報処理装置１０で実行される表示変更処理を説明するためのフローチャート図である。
【００７３】
必要書類特定部１４０は、相続手続き用の各種書類を被相続人との関係種別に対応付けて記憶する記憶手段を、家系図中の各人物の被相続人の関係種別を用いて参照し、相続手続き用の各種書類の中から必要書類を被相続人との関係種別毎に特定する（Ｓ４０１）。ここで、必要書類特定部１４０は、特定された書類の中に選択候補書類グループが存在するか否かを判定する（Ｓ４０２）。選択候補書類グループが存在する場合（Ｓ４０２：ＹＥＳ）、必要書類特定部１４０は、選択候補書類グループに含まれる各書類に対応するボタンを、固有の印を付与する（Ｓ４０３）。また、複数の選択候補書類グループが存在する場合は、必要書類特定部１４０は、グループ毎に固有の印を割り当てる。そして、必要書類表示部１５０は、図９に示されるように、被相続人との関係種別毎に必要な書類を区別可能な状態で、各書類に対応するボタンを列挙して表示する（Ｓ４０４）。
【００７４】
また、図９の画面において「印刷」ボタンが押下された場合（Ｓ４０５：ＹＥＳ）、帳票生成部１６０は、表示画面に対応する帳票データを生成して、例えば外部のプリンタなどに当該帳票データを出力する（Ｓ４０６）。
【００７５】
＜財産登録処理について＞
「財産登録」ボタンが押下された場合、情報処理装置１０は、例えば図１６に示されるような画面を表示する。図１６は、財産登録処理において表示される画面の一例を示す図である。図１６の画面では、相続する資産および債務に関する情報を入力し、「財産計算」ボタンを押下することにより、課税対象となる遺産総額および相続税額を含む情報が表示される。なお、各種資産情報の明細では、各資産の詳細情報（例えば、土地の用途区分等）を設定することができる。
【００７６】
＜相続シミュレーション処理について＞
財産登録処理を実行した後で「相続シミュレーション」ボタンが押下された場合、情報処理装置１０は、図１７に示されるような、法定相続人別の相続額および相続税額を含む情報を表示する画面を表示する。図１７は、財産シミュレーション処理において表示される画面の一例を示す図である。図１７に示される画面では、相続額は手入力、或いは、財産登録処理で登録された相続額に基づいて設定される。更に、図１７の画面において、生前贈与額といった情報を入力することにより、各々の法定相続人の遺留分や各々の法定相続人に課される相続税が自動的に算出されて表示される。
【００７７】
〔第１実施形態の作用と効果〕
以上、本実施形態では、家系図または縁者の属性情報を変更するユーザ操作が実行される度に、法定相続人が都度特定される。そして、特定された法定相続人が区別可能な状態で画面表示が更新される。これにより、ユーザが相続に関連する法律の知識が少ない人物であっても、本実施形態で表示される家系図を見るだけで、法定相続人を適切に把握して、相続手続きに関する相談を円滑に進めることができる。更に、ユーザは、家系図を作成しながら（変更しながら）、その都度、そのときの家系図における法定相続人を容易に把握することができる。
【００７８】
また、本実施形態では、選択情報（家系図において選択されたノード（人物）を示す情報）と操作属性情報（どのような操作が行われたかを示す情報）とに応じて、家系図に新たに追加される縁者の被相続人との関係種別が特定される。例えば、操作属性情報としてユーザ操作の方向を示す方向情報が取得され、選択情報と当該方向情報との組み合わせに応じて家系図に新たに追加される縁者の被相続人との関係種別が特定される。これにより、本実施形態によれば、直観的な操作で家系図を動的に変更することができ、家系図の変更について高い操作性が見込める。
【００７９】
また、本実施形態では、相続手続き用の各種書類が被相続人との関係種別に対応付けて記憶されており、家系図に含まれる各人物の被相続人との関係種別に応じて、各人物毎に相続手続きに必要な書類が特定されて表示される。これにより、相続に関する法律の知識が少ない人物であっても、相続手続きに必要な書類を一目で把握することができる。また、本実施形態によれば、特定された各書類の中に、複数種の書類の中から少なくとも１つが提出されればよい書類（選択候補書類グループ）が含まれる場合、当該選択候補書類グループが区別可能に表示される。これにより、必ず必要な書類とどれか１つで足りる書類とを一目で把握可能な情報を提示できる。これにより、例えば相続の窓口業務に従事する従業員は、相続手続きに必要な書類に関して顧客に適切なアドバイスを行なうことが可能となり、また、相談を持ちかける顧客は煩雑な必要書類の準備にかかる労力を削減することができる。
【００８０】
また、本実施形態では、被相続人との関係種別毎に整理された必要書類の一覧帳票が出力される。また、本実施形態によれば、特定された各書類の中に、複数種の書類の中から少なくとも１つが提出されればよい書類（選択候補書類グループ）が含まれる場合、当該選択候補書類グループが区別可能に記載された帳票が出力される。これにより、出力された帳票によっても、画面表示と同様の効果を得ることができる。
【００８１】
［第２実施形態］
第１実施形態では、様々な処理部を有する情報処理装置１０について説明したが、本発明において、情報処理装置１０は少なくとも表示処理部１１０、操作受付部１２０、及び表示変更部１３０を有していれば、相続手続き業務を適切に支援することができる。
【００８２】
〔処理構成〕
図１８は、第２実施形態における情報処理装置１０の処理構成を概念的に示すブロック図である。本実施形態の情報処理装置１０は、表示処理部１１０、操作受付部１２０、及び表示変更部１３０を有する。表示処理部１１０、操作受付部１２０および表示変更部１３０は、第１実施形態で説明したものと同様である。
【００８３】
〔動作例〕
図１９を用いて、本実施形態における情報処理装置１０の動作例を説明する。図１９は、第２実施形態における情報処理装置１０の処理の流れを示すフローチャートである。
【００８４】
まず、表示処理部１１０は、初期入力に応じて家系図の構成を決定する（Ｓ５０１）。次いで、表示処理部１１０は、法定相続人を特定するプログラムを用いて、家系図の構成に含まれる縁者の中から法定相続人を特定する（Ｓ５０２）。そして、表示処理部１１０は、Ｓ５０２で特定された法定相続人を区別可能な状態の家系図の描画データを生成し、情報処理装置１０の表示部に表示する（Ｓ５０３）。そして、操作受付部１２０がユーザ操作を受け付けた場合（Ｓ５０４：ＹＥＳ）、表示変更部１３０は、受け付けたユーザ操作による家系図または縁者の属性情報の変更に応じて、法定相続人を再度特定する（Ｓ５０５）。そして、表示変更部１３０は、Ｓ５０５で特定された法定相続人を区別可能な状態の家系図の描画データを生成し、情報処理装置１０の表示部に表示することで、画面表示を更新する（Ｓ５０６）。
【００８５】
〔第２実施形態の作用と効果〕
以上、本実施形態では、家系図または縁者の属性情報の変更するユーザ操作が実行される度に、法定相続人が都度特定される。そして、特定された法定相続人が区別可能な状態で画面表示が更新される。これにより、本実施形態によれば、相続に関連する法律の知識が少ない人物であっても、法定相続人を適切に把握して、相続手続きに関する相談を円滑に進める材料として用いることができる。
【００８６】
以上、図面を参照して本発明の実施形態について述べたが、これらは本発明の例示であり、上記以外の様々な構成を採用することもできる。
【００８７】
また、上述の説明で用いた複数のフローチャートでは、複数の工程（処理）が順番に記載されているが、各実施形態で実行される工程の実行順序は、その記載の順番に制限されない。各実施形態では、図示される工程の順番を内容的に支障のない範囲で変更することができる。
【００８８】
以下、参考形態の例を付記する。
１．
被相続人の家系図を、法定相続人が識別可能な状態で表示する表示処理手段と、
前記被相続人の家系図を変更するユーザ操作または当該家系図に含まれる縁者の属性情報を変更するユーザ操作を受け付ける操作受付手段と、
前記受け付けられたユーザ操作に応じて、前記家系図における法定相続人の表示を変更する表示変更手段と、
を有する情報処理装置。
２．
前記表示変更手段は、
前記受け付けられたユーザ操作から、前記家系図において選択されたノードを特定する選択情報及び操作属性情報を取得し、
前記取得された選択情報に対応する人物の前記被相続人との関係種別と、前記取得された操作属性情報とに基づいて、前記家系図に新たに追加される縁者の前記被相続人との関係種別を特定する、
１．に記載の情報処理装置。
３．
前記表示変更手段は、
前記操作属性情報として、前記ユーザ操作の方向を示す方向情報を取得し、
前記取得された選択情報に対応する人物の前記被相続人との関係種別と、前記取得された方向情報との組み合わせに基づいて、前記家系図に新たに追加される縁者の前記被相続人との関係種別を特定する、
２．に記載の情報処理装置。
４．
相続手続き用の各種書類を前記被相続人との関係種別に対応付けて記憶する記憶手段を前記特定された法定相続人の被相続人との関係種別を用いて参照し、前記各種書類の中から相続手続きにおける必要書類を特定する必要書類特定手段と、
前記特定された必要書類を、前記被相続人との関係種別毎に列挙して表示する必要書類表示手段と、
を更に有する１．から３．のいずれか１つに記載の情報処理装置。
５．
前記必要書類特定手段により特定される必要書類には、その中から少なくとも１つの必要書類が提出されればよい１以上の選択候補書類グループが含まれ、
前記必要書類表示手段は、
前記特定された必要書類毎に対応するボタンを表示し、
前記ボタンの表示において、前記選択候補書類グループとそれ以外の必要書類とを区別可能に表示する、
４．に記載の情報処理装置。
６．
前記必要書類表示手段は、
前記必要書類特定手段により特定される必要書類に複数の前記選択候補書類グループが含まれる場合、前記ボタンの表示において、前記複数の選択候補書類グループの各々を区別可能に表示する、
５．に記載の情報処理装置。
７．
前記必要書類特定手段により特定される必要書類には、その中から少なくとも１つの必要書類が提出されればよい１以上の選択候補書類グループが含まれ、
前記特定された必要書類のうち、前記選択候補書類グループとそれ以外の必要書類とを区別可能にリスト化した帳票データを生成する帳票生成手段と、
前記帳票データを外部装置へ出力する帳票出力手段と、
を更に有する４．から６．のいずれか１つに記載の情報処理装置。
８．
前記帳票生成手段は、
前記必要書類特定手段により特定される必要書類に複数の前記選択候補書類グループが含まれる場合、前記複数の選択候補書類グループの各々を区別可能にリスト化した帳票データを生成する、
７．に記載の情報処理装置。
９．
前記帳票生成手段は、
前記必要書類を前記被相続人との関係種別毎に区別してリスト化した帳票データを生成する、
７．または８．に記載の情報処理装置。
１０．
コンピュータが、
被相続人の家系図を、法定相続人が識別可能な状態で表示し、
前記被相続人の家系図を変更するユーザ操作または当該家系図に含まれる縁者の属性情報を変更するユーザ操作を受け付け、
前記受け付けられたユーザ操作に応じて、前記家系図における法定相続人の表示を変更する、
ことを含む情報処理方法。
１１．
前記コンピュータが、
前記受け付けられたユーザ操作から、前記家系図において選択されたノードを特定する選択情報及び操作属性情報を取得し、
前記取得された選択情報に対応する人物の前記被相続人との関係種別と、前記取得された操作属性情報とに基づいて、前記家系図に新たに追加される縁者の前記被相続人との関係種別を特定する、
ことを含む１０．に記載の情報処理方法。
１２．
前記コンピュータが、
前記操作属性情報として、前記ユーザ操作の方向を示す方向情報を取得し、
前記取得された選択情報に対応する人物の前記被相続人との関係種別と、前記取得された方向情報との組み合わせに基づいて、前記家系図に新たに追加される縁者の前記被相続人との関係種別を特定する、
ことを含む１１．に記載の情報処理方法。
１３．
前記コンピュータが、
相続手続き用の各種書類を前記被相続人との関係種別に対応付けて記憶する記憶手段を前記特定された法定相続人の被相続人との関係種別を用いて参照し、前記各種書類の中から相続手続きにおける必要書類を特定し、
前記特定された必要書類を、前記被相続人との関係種別毎に列挙して表示する、
ことを更に含む１０．から１２．のいずれか１つに記載の情報処理方法。
１４．
前記コンピュータにより特定される必要書類には、その中から少なくとも１つの必要書類が提出されればよい１以上の選択候補書類グループが含まれ、
前記コンピュータが、
前記特定された必要書類毎に対応するボタンを表示し、
前記ボタンの表示において、前記選択候補書類グループとそれ以外の必要書類とを区別可能に表示する、
ことを含む１３．に記載の情報処理方法。
１５．
前記コンピュータが、
前記特定される必要書類に複数の前記選択候補書類グループが含まれる場合、前記ボタンの表示において、前記複数の選択候補書類グループの各々を区別可能に表示する、
ことを含む１４．に記載の情報処理方法。
１６．
前記コンピュータにより特定される必要書類には、その中から少なくとも１つの必要書類が提出されればよい１以上の選択候補書類グループが含まれ、
前記コンピュータが、
前記特定された必要書類のうち、前記選択候補書類グループとそれ以外の必要書類とを区別可能にリスト化した帳票データを生成し、
前記帳票データを外部装置へ出力する、
ことを更に含む１３．から１５．のいずれか１つに記載の情報処理方法。
１７．
前記コンピュータが、
前記特定される必要書類に複数の前記選択候補書類グループが含まれる場合、前記複数の選択候補書類グループの各々を区別可能にリスト化した帳票データを生成する、
１６．に記載の情報処理方法。
１８．
前記コンピュータが、
前記必要書類を前記被相続人との関係種別毎に区別してリスト化した帳票データを生成する、
ことを含む１６．または１７．に記載の情報処理方法。
１９．
コンピュータを、
被相続人の家系図を、法定相続人が識別可能な状態で表示する表示処理手段、
前記被相続人の家系図を変更するユーザ操作または当該家系図に含まれる縁者の属性情報を変更するユーザ操作を受け付ける操作受付手段、
前記受け付けられたユーザ操作に応じて、前記家系図における法定相続人の表示を変更する表示変更手段、
として機能させるためのプログラム。
２０．
前記表示変更手段は、
前記受け付けられたユーザ操作から、前記家系図において選択されたノードを特定する選択情報及び操作属性情報を取得し、
前記取得された選択情報に対応する人物の前記被相続人との関係種別と、前記取得された操作属性情報とに基づいて、前記家系図に新たに追加される縁者の前記被相続人との関係種別を特定する、
１９．に記載のプログラム。
２１．
前記表示変更手段は、
前記操作属性情報として、前記ユーザ操作の方向を示す方向情報を取得し、
前記取得された選択情報に対応する人物の前記被相続人との関係種別と、前記取得された方向情報との組み合わせに基づいて、前記家系図に新たに追加される縁者の前記被相続人との関係種別を特定する、
２０．に記載のプログラム。
２２．
前記コンピュータを、
相続手続き用の各種書類を前記被相続人との関係種別に対応付けて記憶する記憶手段を前記特定された法定相続人の被相続人との関係種別を用いて参照し、前記各種書類の中から相続手続きにおける必要書類を特定する必要書類特定手段、
前記特定された必要書類を、前記被相続人との関係種別毎に列挙して表示する必要書類表示手段、
として更に機能させるための１９．から２１．のいずれか１つに記載のプログラム。
２３．
前記必要書類特定手段により特定される必要書類には、その中から少なくとも１つの必要書類が提出されればよい１以上の選択候補書類グループが含まれており、
前記必要書類表示手段は、
前記特定された必要書類毎に対応するボタンを表示し、
前記ボタンの表示において、前記選択候補書類グループとそれ以外の必要書類とを区別可能に表示する、
２２．に記載のプログラム。
２４．
前記必要書類表示手段は、
前記必要書類特定手段により特定される必要書類に複数の前記選択候補書類グループが含まれる場合、前記ボタンの表示において、前記複数の選択候補書類グループの各々を区別可能に表示する、
２３．に記載のプログラム。
２５．
前記必要書類特定手段により特定される必要書類には、その中から少なくとも１つの必要書類が提出されればよい１以上の選択候補書類グループが含まれており、
前記コンピュータを、
前記特定された必要書類のうち、前記選択候補書類グループとそれ以外の必要書類とを区別可能にリスト化した帳票データを生成する帳票生成手段、
前記帳票データを外部装置へ出力する帳票出力手段、
として更に機能させるための２２．から２４．のいずれか１つに記載のプログラム。
２６．
前記帳票生成手段は、
前記必要書類特定手段により特定される必要書類に複数の前記選択候補書類グループが含まれる場合、前記複数の選択候補書類グループの各々を区別可能にリスト化した帳票データを生成する、
２５．に記載のプログラム。
２７．
前記帳票生成手段は、
前記必要書類を前記被相続人との関係種別毎に区別してリスト化した帳票データを生成する、
２５．または２６．に記載のプログラム。
【符号の説明】
【００８９】
１０    情報処理装置
１０１  ＣＰＵ
１０２  メモリ
１０３  ストレージ
１０４  入出力インタフェース
１０５  バス
１１０  表示処理部
１２０  操作受付部
１３０  表示変更部
１４０  必要書類特定部
１５０  必要書類表示部
１５０  出力部
１６０  帳票生成部
１７０  帳票出力部
２１    表示領域
２２    表示領域
２３    チェックボックス
２４    「その他」ボタン
【図１】
2016115022.tif 000003
【図２】
2016115022.tif 000004
【図３】
2016115022.tif 000005
【図４】
2016115022.tif 000006
【図５】
2016115022.tif 000007
【図６】
2016115022.tif 000008
【図７】
2016115022.tif 000009
【図８】
2016115022.tif 000010
【図９】
2016115022.tif 000011
【図１０】
2016115022.tif 000012
【図１１】
2016115022.tif 000013
【図１２】
2016115022.tif 000014
【図１３】
2016115022.tif 000015
【図１４】
2016115022.tif 000016
【図１５】
2016115022.tif 000017
【図１６】
2016115022.tif 000018
【図１７】
2016115022.tif 000019
【図１８】
2016115022.tif 000020
【図１９】
2016115022.tif 000021